(57)【要約】 【課題】締結ベルトの長さ調整が容易なリハビリ靴を提供する。【解決手段】 甲皮、底部材および締結ベルトが設置されたリハビリ靴であって、（１）一端が甲皮に固定され、他の自由端には面ファスナーが配設されているベルトが設置されていること、（２）面ファスナーが表裏に配置された締結小片が設置されていること、（３）ベルトと締結小片を面ファスナーにより係止することにより締結ベルトを形成し、相互の係止位置を調整することにより締結ベルトとしての実質的な長さを調整することができること、（４）締結ベルトが係止される位置の甲皮には面ファスナーが設置されていること、（５）締結小片を介して締結ベルトが甲皮に係止されること、を特徴とする締結ベルト付きリハビリ靴。【選択図】図１
2015054186.tif 000002
【特許請求の範囲】
【請求項１】
甲皮、底部材および締結ベルトが設置されたリハビリ靴であって、（１）一端が甲皮に固定され、他の自由端には面ファスナーが配設されているベルトが設置されていること、（２）面ファスナーが表裏に配置された締結小片が設置されていること、（３）ベルトと締結小片を面ファスナーにより係止することにより締結ベルトを形成し、相互の係止位置を調整することにより締結ベルトとしての実質的な長さを調整することができること、（４）締結ベルトが係止される位置の甲皮には面ファスナーが設置されていること、（５）締結小片を介して締結ベルトが甲皮に係止されること、を特徴とする締結ベルト付きリハビリ靴。
【請求項２】
甲皮に舌片を有する請求項１に記載の締結ベルト付きリハビリ靴。
【請求項３】
甲皮の舌片を形成する部分の中央には適宜幅の伸縮地を介在させることにより舌片幅を伸縮自在とした請求項２に記載の締結ベルト付きリハビリ靴。
【請求項４】
装着具との摩擦により傷みやすい箇所である（１）足幅が一番広い部分であってアッパーに圧がかかりやすい部分、および（２）装具についている金具などにより擦れる踵周りの部分、に補強材が設置されている請求項１から３のいずれかに記載の締結ベルト付きリハビリ靴。
【請求項５】
装着具を装着した足にリハビリ靴を履く際に必要なスペースを横幅でとるのではなく、縦に深さをつけることにより外観が改善された請求項１から４のいずれかに記載の締結ベルト付きリハビリ靴。
【請求項６】
ベルトのファスナーを配設した端部の形状と小片の端部の形状が一致している請求項１から５のいずれかに記載の締結ベルト付きリハビリ靴。
【請求項７】
先端部分を足の土踏まず付近にまで設置したヒールカウンターを有する請求項１から６のいずれかに記載の締結ベルト付きリハビリ靴。
【発明の詳細な説明】
【技術分野】
【０００１】
本発明は、靴履着が良好となる締結ベルト付きリハビリ靴に関し、特に、下肢装具などを装着した場合に適したリハビリ靴を提供するものである。本発明のリハビリ靴はベルトの長さを簡便に調整することを可能とし、しかも、靴の履き心地、外観にまで気を配ったことによりリハビリを継続するモチベーションの向上にも寄与するものである。
【背景技術】
【０００２】
従来、足に装具等を装着した時でも足にフィットし歩行に支障をきたすことなく、簡単に着脱の動作ができ、しかも外観デザインに優れたリハビリテーション用靴を提供することを目的とする提案は数多くなされてきた。そうしたなかで、開口部を横断する締結ベルトにより足と靴を一体化する技術がある。
例えば、甲材が底部から上方へ立ち上がり、この立ち上がった前記甲材に舌片をかぶせて接合したモカシン型の靴において、甲材に着脱自在になるように取り付けられ、前記舌片を横断して跨ぐように設けられたベルトと、このベルトの一端の裏面側には、第１の面状ファスナーが備えられ、この第１の面状ファスナーに係止する第２の面状ファスナーを前記甲材の外側に設けているモカシン型の靴（特許文献１）や、足底板を装着した際に履物内でズレが生じず、足底板を着用しない際には、高齢者等が通常の履物として使用できる足底板対応履物として、伸縮性のある布材により構成される甲被と、縦長で広く構成された開口部と、一方の端部に設けられた面ファスナーにより開口部を横断して開閉自在とした調整バンドを有し、この調整バンドは面ファスナーを横断する複数の平行ミシン線を有し、当該ミシン線に沿って切断することで長さ調整ができる足底板対応履物（特許文献２）が提案されている。
【０００３】
締結ベルトの取付け位置を、片麻痺患者にあっても操作が可能な左右自在の取付けとする締結ベルト付きリハビリ靴並びにその締結ベルトを提供する舌革部位置に締結ベルトを掛けるリハビリ靴として、靴本体の舌革部の中央部分に適宜幅の伸縮地を介在し舌革幅を伸縮自在とし、該伸縮地の上下位置に甲締兼反転用面ファスナーと折返し受け用面ファスナーを配すと共に、靴本体両側の腰革位置に夫々ベルト用面ファスナーを配し、この両側面ファスナーの左右どちらかに、裏面域に前記両側面ファスナーに対応の面ファスナーを配し左右共通ベルト構成としてなる締結ベルトを、そのベルト先端部を麻痺等のない利き手側に向かせた基端部を係合の固定端とし、この先端部を残る腰革位置の面ファスナーに係合自在の開閉端とし、且つ舌革部の前方折返し時に該舌革部上下位置にある前記両面ファスナー同志を係合し折返し仮保持とする締結ベルト付きリハビリ靴（特許文献３）が提案され、また、靴本体の胛被表面をループ状のパイル地で形成した胛被に、裏面の多数のフックを具備した緊締片を着脱自在にすることにより、緊締片の装着位置が限定されない為、無理な体勢をとらずに容易に装着でき、また足に矯正用装具を装着して履いて場合でも、緊締片を足の曲面に対応し馴染ませて係止できる。しかも緊締片を交換できるので靴に変化を与えることができ、また胛被に緊締片の装着位置を示す目印を付することにより緊締片を取り外しても正確に装着できるリハビリテーション用靴（特許文献４）が提案されている。
【先行技術文献】
【特許文献】
【０００４】
【特許文献１】特開平１１−３１３７０１号公報
【特許文献２】特開２００７−８２９４７号公報
【特許文献３】特開２００６-２１２１３４号公報
【特許文献４】特開２００１-２０４５０５号公報
【発明の概要】
【発明が解決しようとする課題】
【０００５】
歩行のリハビリを必要とする疾患には、リュウマチ、糖尿病、変形性関節症、脳血管障害などによる障害が発生する場合があるが、その後の筋力トレーニング、片麻痺状態からの歩行訓練などによりその症状は大きく改善される。こうした患者は脳血管障害を原因とすることが半数以上であるため、脳血管障害者の層を主たるターゲットとしたリハビリ靴を提供することが急務とされている。
歩行のリハビリで回復する過程では、車いす、長下肢装具、短下肢装具を使用でいて回復度合いに応じて装着する器具類は変化する。この過程では装具を身に着けた状態で靴を履きリハビリに励むことが必要となることが多い。リハビリ用の靴として利用されるための要件としては、（１）脱ぎ履きしやすいこと、（２）踵が安定していること、（３）つま先が保護されていること、を基本とし、さらに、（４）不格好でないこと、（５）長持ちすること、（６）足にサイズがあっていること、が必要とされる。しかしながら、（４）から（６）については十分満たされているとは言えないのが現状である。
【０００６】
本発明は、特に上記の要件（６）を満足するリハビリ用の靴を提供するものであり、装具を装着した足にも、また、装具を必要としなくなった足あるいは以前から装具を必要としない個々の足の大きさに合わせて調整ができるリハビリ靴を提供するものである。リハビリ生活を始めるにあたって最初に履いた靴の影響は大きく、履きなれた靴はそれに不満があっても他の靴に変更することなく履き続けることが多い。したがって、リハビリを長期にわたって継続して回復するには優れたリハビリ靴を提供し最初から適切な靴を選ぶことが肝要である。
【０００７】
本発明はこのような要望に沿ったリハビリ靴を提供するものであるばかりか、入手後ただちにリハビリに使用できるよう工夫をしたものである。すなわち、リハビリ用の靴では、器具を装着している足用の靴と装着していない足用の靴では、締結ベルトあるいは緊締片の長さが異なることがしばしば発生する。そうすると、左右の靴の締結ベルトあるいは緊締片の長さを各足に合わせて調整することが必要となる。こうした締結ベルトあるいは緊締片の長さの調整、特に締結ベルトあるいは緊締片の延長には、一度加工注文に出さなければならないことにしばしば遭遇する。そうすると、早期のリハビリの開始が締結ベルトあるいは緊締片の調整のために延期されることになりかねない。本発明は、リハビリ用の靴を入手したら直ちにリハビリを開始できるように、延長ベルトを左右両方の靴に装着してあることと、面ファスナーを利用することにより締結ベルトあるいは緊締片の延長を簡便になすことができるようにしたものである。
【課題を解決するための手段】
【０００８】
本発明は以下の技術的事項により構成されるものである。
（１）甲皮、底部材および締結ベルトが設置されたリハビリ靴であって、（ａ）一端が甲皮に固定され、他の自由端には面ファスナーが配設されているベルトが設置されていること、（ｂ）面ファスナーが表裏に配置された締結小片が設置されていること、（ｃ）ベルトと締結小片を面ファスナーにより係止することにより締結ベルトを形成し、相互の係止位置を調整することにより締結ベルトとしての実質的な長さを調整することができること、（ｄ）締結ベルトが係止される位置の甲皮には面ファスナーが設置されていること、（ｅ）締結小片を介して締結ベルトが甲皮に係止されること、を特徴とする締結ベルト付きリハビリ靴。
（２）甲皮に舌片を有する（１）に記載の締結ベルト付きリハビリ靴。
（３）甲皮の舌片を形成する部分の中央には適宜幅の伸縮地を介在させることにより舌片幅を伸縮自在とした（２）に記載の締結ベルト付きリハビリ靴。
（４）装着具との摩擦により傷みやすい箇所である（ｆ）足幅が一番広い部分であってアッパーに圧がかかりやすい部分、および（ｇ）装具についている金具などにより擦れる踵周りの部分、に補強材が設置されている（１）から（３）のいずれかに記載の締結ベルト付きリハビリ靴。
（５）装着具を装着した足にリハビリ靴を履く際に必要なスペースを横幅でとるのではなく、縦に深さをつけることにより外観が改善された（１）から（４）のいずれかに記載の締結ベルト付きリハビリ靴。
（６）ベルトのファスナーを配設した端部の形状と小片の端部の形状が一致している（１）から（５）のいずれかに記載の締結ベルト付きリハビリ靴。
（７）先端部分を足の土踏まず付近にまで設置したヒールカウンターを有する（１）から（６）のいずれかに記載の締結ベルト付きリハビリ靴。
【発明の効果】
【０００９】
本発明の締結ベルト付きリハビリ靴は、締結ベルトの長さを簡便に調整することができるため予め患者に応じた締結ベルト付きリハビリ靴を多種類揃えておかなくともよいため、経済的にも有用である。また、締結ベルトの長さをその場で調整できるため、靴のパーツを注文し出来上がるまでの待機時間が不要となりただちにリハビリを開始することができる。さらに、リハビリ靴の外観をスマートに見える構造となしているため、リハビリを継続して長期間行うことができるようモチベーションの高揚に役立つことができる。
【図面の簡単な説明】
【００１０】
【図１】本発明のリハビリ靴の外観を示す。
【図２】本発明のリハビリ靴の他の例の外観を示す。
【図３】本発明の締結ベルト、および対応する甲皮の構造を示す。
【図４】締結ベルトを延長した状態のリハビリ靴の外観を示す。
【図５】下肢装着具および靴の傷んだ箇所を示す写真である。
【図６】本発明のリハビリ靴のヒールカウンターの先端部を土踏まずのアーチ部分にまで延長していることを説明する図面。
【発明を実施するための形態】
【００１１】
本発明は、甲皮、底部材および締結ベルトが設置されたリハビリ靴であって、
（１）一端が甲皮に固定され、他の自由端には面ファスナーが配設されているベルトが設置されていること、
（２）面ファスナーが表裏に配置された締結小片が設置されていること、
（３）ベルトと締結小片を面ファスナーにより係止することにより締結ベルトを形成し、相互の係止位置を調整することにより締結ベルトとしての実質的な長さを調整することができること、
（４）締結ベルトが係止される位置の甲皮には面ファスナーが設置されていること、
（５）締結小片を介して締結ベルトが甲皮に係止されること、
を特徴とする締結ベルト付きリハビリ靴に関し、歩行のリハビリを必要とする人々、例えば、短下肢装着具類を装着したリハビリの回復過程で特に有用に使用される。
【００１２】
本発明の詳細を以下に図面を参照しながら説明する。
本発明のリハビリ靴は、締結ベルトの構成に特徴を有し、靴の素材は特に限定されない。表素材：合成皮革、内素材：ポリエステル100%（メッシュ）、底材：合成底（EVA、ゴム）あるいは表素材：合成皮革、ポリエステル100%、内素材：ポリエステル100%、カップインソール：EVA、底材：合成底（EVA、ゴム）が例示される。
図１および図２は本発明のリハビリ靴の外観を示すものであり、本リハビリ靴は、甲皮１、底部材２およびベルト３および締結小片４からなる締結ベルト５において、締結ベルト５の長さを簡便に調整することが可能とするものであり、下肢装具を装着した足にリハビリ靴を短時間で容易に履くことができるとともに、装具の形態あるいは装具の有無に関係なく優れた履き心地を提供することができる。図１は舌片６を有するリハビリ靴の例であり、甲皮は合成皮革とポリエステルのメッシュ地で形成されており、つま先部は合成皮革でできている。特に、マヒしている側は感覚が鈍いために外部からの保護が必要であり、また、爪先部はさまざまな場面で擦りやすい部分であり耐久性が必要であるため、耐久性のある合成皮革で爪先をカバーしている。図２は舌片６を有さずその部分は開口となっているリハビリ靴の例であり、甲皮は合成皮革で形成されている。マヒしている側の足趾は緊張で屈曲しクロウトゥになりやすく、圧迫しないスペースを確保する必要が有り、ゆったりとしたトゥボックスになっている。
【００１３】
ベルト３と締結小片４からなる締結ベルト５は舌片６の上方を通り甲皮１の一方から他方の甲皮を連結して、足をしっかりと固定し、安定した歩行を可能としている。舌片６の中央部には適宜幅の伸縮地６２を長手方向に介在させている。舌片６は中央部分の伸縮地６２で左右への伸びが自在なため、装具装着した状態での靴の履着において、甲縁部が両側に押し広げられても伸縮地６２が適宜伸びることにより無理のない履着ができると共に、足が甲高であっても履着が無理なく行える。
【００１４】
図３には、締結ベルト５により固定化するために必要とされる部材の構造を示す。ベルト３の一端は甲皮１にしっかりと固定され（図示せず）、他は自由端となりその先端部には面ファスナー３１が設けられている。ベルト３の最先端部には面ファスナーを設けない部分を設けて指による着脱を容易にしてもよい。締結小片４の表には面ファスナー４１が設けられてベルト３の面ファスナー３１と係合することができ強固な結合を可能としている。面ファスナー３１と４１の係合位置を適宜調整することにより締結小片４をベルト３より延長することができる。すなわち、締結ベルト５の長さを変化させることができる。締結小片４の裏面にも面ファスナー４２が設けられて甲皮１に配設された面ファスナー１１に係止することにより足を靴に無理なく止めることができる。甲皮１の面ファスナー１１と締結小片４の面ファスナーの係合位置を変えることにより靴の装着状態を微調整することもできる。
【００１５】
図４はベルト３と締結小片４の位置をずらせて係合したリハビリ靴の外観を示すものであり、締結小片４の表面に設置された面ファスナー４１が見えている長さだけ締結ベルト５の全体長さが延長されていることになる。
ベルト３の先端部分の形状と締結小片４の先端部分の形状を類似または一致させることにより装着時の外観を好ましいものとすることができる。締結ベルト５は柔軟性および強度の高い材質で作成されることが好ましいが、靴を強固に装着するために、またベルトの止め損ないを防止するために、面ファスナーを広くすることが好ましく、比較的幅広く作成した場合にはその中央付近に切欠部３２を設けるとよい。
【００１６】
本リハビリ靴の装着時には下肢装具を使用していることを想定しているが、この装具は、例えば、図５（２）にみられるような形状をしている。下肢装具を装着すると、足幅が広い部分でアッパーに圧がかかりやすくなる部分Ａが傷みやすくなる（図５（３））とともに、装具についている金具や装具のかかとの部分などにより擦れる部分Ｂで靴の内面が痛む（図５（１））ことが避けられなくなるため、これらの部分には補強材（図５（４）のAおよびB）をつけることで靴を長持ちさせることができる。アッパー全体を強固な材質を用いて損傷を避けることではなく、必要な部分に補強材を設けることによりアッパーのメッシュ生地による通気性を損なわないで補強することができる。
【００１７】
下肢装着具類を使用すると靴全体の外観は不格好になりやすく、リハビリを継続するモチベーションが低下することや、普通の靴を履けなくなってしまったことに落ち込んでしまうことがあるために、リハビリ用の靴であってもその外観を重視することが大切である。装具を収納するために靴の幅を広げることは靴の外観を損なうことになるため、本発明のリハビリ靴では、靴を履く際に必要なスペースを横幅でとるのではなく、縦に深さをつけること（ラストの幅を広げないで厚みをつけること）により解決している。下肢装具による金具などによる靴内面の損傷は補強材により解決している。
こうした構造を有する左右一組の靴を入手する場合には、下肢装具を装着した足に靴のサイズを合わせ、下肢装具を装着しない靴にはカップインソールやヒールなどを組み合わせて高さを調整することにより左右の靴の高さを同じくすることができる。これによって、歩きやすさに優れ、左右の外観が一致したスマートな靴を入手することができる。
【００１８】
靴の踵には、踵を包み込んで全体的に保持するための芯材であるヒールカウンター７が形成されている。ヒールカウンター７を硬質の部材で構成することにより、足底板のズレを抑え、また履物のねじれを防ぐことができる。ところで、底部が屈曲性に優れた履物を高齢者等が着用すると、自重により靴の外側が沈み、足が内反してしまうおそれがある。本発明のリハビリ靴では、ヒールカウンター７が自重をきちっと受け止めしっかり支持することで内反を防ぐためにヒールカウンター７の先端部７１を土踏まずのアーチ部分にまで延長している（図６）。
踵の上部には手の指が充分に入るループが設けられており、装着時、高齢者や障害者が容易に手の指を挿入して履物の踵部を引き上げることにより装着を容易にしている。
【産業上の利用可能性】
【００１９】
本発明のリハビリ靴は、高齢者および障害者に適したものであるが、年令や性別に関係なく全ての下肢装具の利用者に対応する履物を提供するものである。特に、靴の締結ベルトを改善することにより、汎用性のあるリハビリ靴を提供することができ、入手後ただちにリハビリ靴を履いてリハビリを実施することができ、スマートな外観の本発明のリハビリ靴を履くことによりリハビリを成し遂げるためのモチベーションが向上する。本発明のリハビリ靴を利用することによりリハビリを完了し回復率を大きく向上することができる。
【符号の説明】
【００２０】
１：甲皮
１１：甲皮面ファスナー
２：底部材
３：ベルト
３１：ベルト面ファスナー
３２：切欠き部
４：締結小片
４１：締結小片の表面ファスナー
４２：締結小片の裏面ファスナー
５：ベルトおよび締結小片からなる締結ベルト
６：舌片
６２：伸縮地
７：ヒールカウンター
７１：ヒールカウンターの先端部
【図１】
2015054186.tif 000003
【図２】
2015054186.tif 000004
【図３】
2015054186.tif 000005
【図４】
2015054186.tif 000006
【図５】
2015054186.tif 000007
【図６】
2015054186.tif 000008